(57)【特許請求の範囲】
【請求項１】
複数のコンタクトレンズのための個別に分離可能なシールされたパッケージのスタックであって、各個別のレンズが第１表面と第２表面との間に包装され、前記第１表面が前記個別に分離可能なパッケージのうちの第１パッケージにより提供され、前記第２表面が前記個別に分離可能なパッケージのうちの第２パッケージにより提供され、各パッケージが、コンタクトレンズと水性液体とを収容する凹形カップ状部分と周辺部分とを含み、あるパッケージの前記凹形カップ状部分が、隣接するパッケージの前記凹形カップ状部分内に部分的に収容され、それにより前記スタック内の死容積を減少させるスタックにおいて、前記個別に分離可能なパッケージのスタックの隣接する部材が、各コンタクトレンズが前記スタックの前記隣接する部材間で実質的に気密方式でシールされるように、互いに結合されシールされることを特徴とする、スタック。
【請求項２】
前記複数のパッケージの各々が同一である、請求項１に記載のスタック。
【請求項３】
複数の左回りのパッケージと複数の右回りのパッケージとを含み、左右性が突出するフランジ部分の形状および／または位置により与えられる、請求項１に記載のスタック。
【請求項４】
前記周辺部分が、薄い突出するフランジ部分であって、外向きに突出し消費者が個別のパッケージを前記スタックから分離するために適切な力を加えることができる表面を提供する薄い突出するフランジ部分を含む、請求項１に記載のスタック。
【請求項５】
前記コンタクトレンズが平らにならずに望ましい湾曲形で包装される、請求項１〜４のいずれか一項に記載のスタック。
【請求項６】
前記スタックの隣接する部材が接着剤により互いにシールされる、請求項１〜５のいずれか一項に記載のスタック。
【請求項７】
前記スタックの隣接する部材が機械的シール嵌合により互いにシールされる、請求項１〜６のいずれか一項に記載のスタック。
【請求項８】
前記パッケージが、開封明示シールが提供されるように、隣接するパッケージが分離されると破壊または破断される壊れやすい部分を含む、請求項７に記載のスタック。
【請求項９】
前記包装されたコンタクトレンズが使い捨てである、請求項１〜８のいずれか一項に記載のスタック。
【請求項１０】
前記包装されたコンタクトレンズがハイドロゲル材料から形成される、請求項１〜９のいずれか一項に記載のスタック。
【請求項１１】
前記包装されたコンタクトレンズがシリコーンハイドロゲル材料から形成される、請求項１０に記載のスタック。
【請求項１２】
スタック内の、最も上にある、コンタクトレンズを包含するパッケージが、「ブラインド」または未加工のパッケージにより、またはフィルムもしくは金属箔によりシールされる、請求項１〜１１のいずれか一項に記載のスタック。
【請求項１３】
前記パッケージが合成プラスチック材料でできている、請求項１〜１２のいずれか一項に記載のスタック。
【請求項１４】
ホルダと組み合わされており、前記ホルダが、平らなベース部分と、前記スタックを収容するチャネルまたは溝を画定する少なくとも１つの直立部材とを有する、請求項１〜１３のいずれか一項に記載のスタック。
【請求項１５】
前記直立部材および平らなベース部分が合成プラスチック材料から一体的に形成される、請求項１４に記載のスタックとホルダとの組合せ。
【請求項１６】
前記チャネルまたは溝がコンタクトレンズパッケージの２つのスタックを並べて収容する、請求項１４または１５に記載のスタックとホルダとの組合せ。
【請求項１７】
前記ホルダが、小出し手段であって、その作動が個別のコンタクトレンズパッケージを前記スタックから分離するよう機能する小出し手段を含む、請求項１４〜１６のいずれか一項に記載のスタックとホルダとの組合せ。
【請求項１８】
前記ホルダが前記スタックを前記ホルダの外へ付勢する傾向のある付勢手段を含む、請求項１５〜１７のいずれか一項に記載のスタックとホルダとの組合せ。
【請求項１９】
請求項１に記載の複数の個別に分離可能なコンタクトレンズパッケージのスタックの作製方法であって、前記方法が以下のステップ、
（ａ）複数の空の個別のコンタクトレンズパッケージを形成するステップであって、各パッケージが凹形カップ状部分と周辺部分とを有するステップと、
（ｂ）コンタクトレンズと好適な水性液体の一定分量とを第１パッケージの前記凹形カップ状部分内に挿入するステップと、
（ｃ）前記空洞内の前記コンタクトレンズおよび水性液体を、第２パッケージを前記第１パッケージの上部に位置付け、前記第２パッケージを前記第１パッケージに対して任意選択的に好適な接着剤によりシールすることにより、シールするステップであって、その結果前記第２パッケージの前記凹形カップ状部分が、前記第１パッケージの前記凹形カップ状部分内に部分的に収容され、それにより前記スタック内の死容積を減少させる、ステップとを含む方法。
【請求項２０】
請求項１９に記載の方法であって、その実施が、請求項２〜１５のいずれか一項に従うパッケージのスタックを製造する方法。
【請求項２１】
前記パッケージのスタックを積み上げるために、ステップ（ｂ）および（ｃ）が複数回繰り返される、請求項１９に記載の方法。
【請求項２２】
前記スタック内の、最も上にある、コンタクトレンズを包含するパッケージが、未加工のパッケージでまたは剥離可能なフィルムもしくは箔層でシールされる、請求項１９〜２１のいずれか一項に記載の方法。
【請求項２３】
前記パッケージを高圧蒸気滅菌法により滅菌するステップをさらに含む、請求項１９〜２２のいずれか一項に記載の方法。
【請求項２４】
前記パッケージのスタックが、スタック形成の間にＵＶ照射により滅菌される、請求項１９〜２２のいずれか一項に記載の方法。
【請求項２５】
前記パッケージがＵＶ硬化性接着剤によりシールされる、請求項１９〜２４のいずれか一項に記載の方法。
【発明の詳細な説明】
【技術分野】
【０００１】
本発明は、コンタクトレンズ用、特にシリコーンハイドロゲルコンタクトレンズ用の包装に関し、特に、複数の分離可能に結合した個別のパッケージに、およびそれを作製する方法に関する。
【背景技術】
【０００２】
個別のコンタクトレンズ用の包装を提供することは周知である。特に、１日単位で装着するための使い捨てのコンタクトレンズは、約５個または６個の個別のケースの水平なストリップ内に提供されることが多く、各ケースはそれぞれの個別のコンタクトレンズを包含し、典型的には約３０個の個別のケースが段ボール箱内に提供される（すなわち片眼用に約１カ月の間十分なレンズ）。
【０００３】
１日単位で装着する使い捨てのレンズは、従来シリコーンハイドロゲル材料から形成され、これは、包装から取り出されるとすぐに使用できるよう、含水させられかつ湾曲した形で保たれなければならない。したがって、例えば、米国特許第６２６０６９５号明細書は、水分を取り除いた状態にあるハイドロゲルコンタクトレンズのための包装を開示し、その結果そこで開示されている包装はハイドロゲルコンタクトレンズをすぐに装着できる形で提供するのに有用なものではない。
【０００４】
レンズが湾曲した形というよりむしろ平らな状態で保管されたコンタクトレンズ用の包装を提供することもまた公知である（例えば米国特許出願公開第２００４／０２３８３８０号明細書を参照）。これはより古いスタイルの材料でできているコンタクトレンズには適しているが、最新のシリコーンハイドロゲル材料を使用して作成されたコンタクトレンズには適しておらず、その理由は、平らな形でそれらを保管することはそれらをそれらの弾性限度を超えて伸ばし、平らな包装から取り出されるとレンズは最適な嵌合および／または最適な光学的補正のために望ましい湾曲を再びとることがないことが分かっているからである。
【発明の概要】
【課題を解決するための手段】
【０００５】
第１態様において、本発明は、複数のコンタクトレンズのための個別に分離可能なパッケージのスタックであって、各個別のレンズが第１表面と第２表面との間に包装され、第１表面が個別に分離可能なパッケージのうちの第１パッケージにより提供され、第２表面が個別に分離可能なパッケージのうちの第２パッケージにより提供される、スタックを提供する。
【０００６】
個別に分離可能なパッケージのスタックの隣接する部材は、分離可能な接続、典型的には（必ずしもではないが）接着剤の層により、結合され、より具体的には互いにシールされる。本発明における使用に適切な接着剤は当業者には明らかとなり、特定の例が以下に詳述される。
【０００７】
しかしながら、好ましい実施形態において、スタックの隣接する部材は、接着剤の必要性なしに隣接するパッケージ間にシールを形成する機械的嵌合により結合される。例えば、隣接するパッケージはスナップ嵌めファスナーにより互いにクリップで留まって（ｃｌｉｐ）もよい。必要に応じて、ゴムまたはシリコーンガスケットまたはＯリングなどの介在シール部材がパッケージの凹形および／または周辺部分の周りに提供されてもよいが、このようなことは好ましくは回避される。
【０００８】
一実施形態において、各パッケージの少なくとも一部は、ある程度弾性変形可能な材料でできており、これはスナップ嵌めファスナーの形成を支援する。好ましくは、パッケージは、あるパッケージの突出部またはセクションが、スナップ嵌めファスナーなどを、スタックにおいて隣接するパッケージ上に適合して成形された凹部と共に、形成するように成形される。好都合には隣接するパッケージ間に相互嵌合部がある。「相互嵌合部」により、各パッケージには、隣接するパッケージ上の相互の雌および雄部分と協働する雄および雌部分の両方が設けられることが意図される。
【０００９】
好ましい実施形態において、機械的シールは開封明示（ｔａｍｐｅｒ−ｅｖｉｄｅｎｔ）方式で形成される。例えば、結合されたパッケージが分離されると破壊または破断される壊れやすい部分がパッケージ上に設けられてもよい。
【００１０】
望ましくは、個別に分離可能なパッケージの各々はほぼ同様の設計である。個別に分離可能なパッケージのための好ましい設計は、コンタクトレンズをその自然に湾曲した形で収容するカップ状凹形部分と、コンタクトレンズと接触し含水させられた状態に保つ機能を果たす少量の水性液体（例えば、滅菌食塩水）と、凹形カップ状部分から外側に突出し、表面であってそれにより、個別のパッケージをスタックから分離するために、（例えば１つまたは複数の指により）力がかけられ得る表面を提供するフランジを含む周辺部分とを含む。カップ状部分は好ましくは実質的に球体の一部（例えば、逆さにされた球状のキャップまたは球状のドーム）であり、周辺部分は、好都合には、カップ状部分に対して略円周方向である。任意選択的に、周辺部分には、平らなベースであってその上にパッケージのスタックが載り得る平らなベースを形成するために、下向きの突出部分が形成され得る。
【００１１】
好ましくは、明らかになるとおり、個別に分離可能なパッケージのスタックは複数のコンタクトレンズを各それぞれのパッケージに１つ収容する。コンタクトレンズは、例えば硬質ガス透過性（「ＲＧＰ」）レンズおよびソフトコンタクトレンズを含む任意のタイプのコンタクトレンズであってよいが、本発明は、１日単位、週単位または月単位で廃棄されることを意図され得る使い捨てのコンタクトレンズ、特に、シリコーンハイドロゲル（「ＳｉＨ」）および他の材料を含む、当業者に馴染のある種類のハイドロゲル材料でできたコンタクトレンズの包装に特に有用である。
【００１２】
上記のとおり、スタックの隣接する部材は、各コンタクトレンズがスタックの隣接する部材間で少量の水性液体と共に実質的に気密方式でシールされるように、典型的には少量の接着剤および／または機械的シール嵌合により結合される。複数の個別パッケージの各々に対する「蓋」は、したがって本質的に、重なっているパッケージのベースにより形成される。本発明は、したがって別の蓋、例えば剥離可能なフィルムまたは箔を、コンタクトレンズを適所にシールするために各パッケージの上に配置する必要性がない。
【００１３】
必要な空洞であってその中にコンタクトレンズが収容され得る空洞を形成するために、上の方のパッケージの外側表面は、低い方のパッケージのカップ状部分の内側表面と少なくともその一部にわたって接触してはならないことは明らかである。これは、例えば、低い方のパッケージの周辺部分に隆起した外形を設けること、および／または下向きの突出部分を上の方のパッケージの下面に設けること、および／または上の方および低い方のパッケージのそれぞれの表面が一致しないことを確実にすることにより達成され得る。
【００１４】
スタック内の隣接するパッケージ間に形成される空洞のサイズが、隣接するパッケージのそれぞれの表面の外形または形状を変更することにより変えられ得ることは当業者には明らかとなる。このようにして、レンズに加えて空洞内に収容され得る水性液体、例えば水性生理食塩水または他の溶液の最大体積は望ましい環境に適合され得る。したがって、例えば、小さい体積の水性液体（および適合して小さい体積の空洞）が、パッケージをスタックから取り外すことによりパッケージが開かれる際のこぼれまたは散らかりの可能性を減らすのに好ましい場合には用いられてもよい。反対に、より大きい空洞およびより大きい体積の水性液体が、挿入の前にレンズがすすがれ得るようにパッケージ内に十分な液体を提供するのに望ましいと考えられる場合には使用されてもよい。
【００１５】
好ましい実施形態において、コンタクトレンズは第１パッケージの凹形カップ状部分内に、好適な水性液体の少量の一定分量の前または後に導入され、第２パッケージは第１パッケージの上に置かれ、任意選択的に好適な接着剤によりそれに接着され、その結果接着剤（ある場合）および第１および第２パッケージが協働してコンタクトレンズおよび含水用水性液体を包含する小さい、実質的に気密の空洞を画定する。代替的に、パッケージは、機械的シール嵌合、例えばスナップ嵌めファスナーへ、典型的には接着剤を使用せずに圧入されることによりシールされる。次いで第２コンタクトレンズが、水性液体の一定分量と共に、第２パッケージの凹形カップ状部分内に配置され、第３パッケージを第２パッケージの上部に接着することによりシールされる。このプロセスが、パッケージのスタックであって、各パッケージがそれぞれの個別のコンタクトレンズを包含するパッケージのスタックが形成されるまで、望まれる回数だけ繰り返され得る。望ましい数のパッケージのスタック（例えば３０個または６０個）が形成されると、スタックおよびその内容物は、好都合には高圧蒸気滅菌法により好ましくは滅菌される。代替的に、スタック（およびその内容物）はその形成の間に、個別のパッケージ／およびレンズなどへの、それらがスタックに加えられる際の、照射（好ましくはＵＶ照射）により、滅菌されてもよい。
【００１６】
特に、上の方のパッケージの凹形カップ状部分は望ましくは低い方のパッケージの凹形カップ状部分内に少なくとも部分的に収容され得る。より好ましくは、上の方のパッケージの凹形カップ状部分はこのようにして収容される（例えば、上の方のパッケージのカップ状部分の体積の少なくとも３０％が、好ましくは少なくとも４０％、より好ましくは少なくとも５０％が、下のパッケージのカップ状部分内に収容される）。このようにして、非常に少量の水性液体のみが、包装されたコンタクトレンズを含水させられた状態で保つのに必要となる。より重要なことは、包装により変形されることも平らにされることもないように、依然としてコンタクトレンズをその望ましい湾曲状態で包装しつつ、包装の「死」容積が実質的に減少し、材料のより効率的な使用とパッケージの製造、保管および輸送コストの著しい減少がもたらされる。
【００１７】
好ましい実施形態において、凹形部分は実質的に円形断面のカップ状であり、隆起した環状の肩部またはリムを任意選択的に有する。この好ましい実施形態において、凹形部分には、好都合には、個別のパッケージをパッケージのスタックから分離するために適切な力が（例えば、指によりまたは親指の爪もしくはその他の指の爪により）かけられ得る表面として作用する、薄い、外向きに突出するフランジを含む、カップ部分の少なくとも一部に沿った周辺部分が形成される。
【００１８】
幾つかの実施形態において、スタックは、スタックの一番端の（典型的には最も下の）パッケージが、内部位置でスタックを破壊するよりも容易にスタックから分離するようになっている。より具体的には、スタックは好ましくは一番端の（または最も下の）パッケージのみがスタックから容易に分離され得るようになっている。好都合には、これは、パッケージがもはや一番端のパッケージではないときに機械的「係止」を生じさせることにより達成される。例えば、新たなパッケージをスタックの底部に取り付けることは、パッケージ上に機械的制約を与えることによりスタックにおいてその上にあるパッケージを適所に係止し得る。これを達成するための方法の１つは、スタックの端部に新たに加えられたパッケージが先に一番端だったパッケージの外側表面を把持し、それを先に一番端だったパッケージに先行するパッケージに対して押しやるなどとなるように、弾性的に変形可能な材料からパッケージを形成することによるか、パッケージにそのような材料でできた１つまたは複数の部分を設けることによる。
【００１９】
スタック内のパッケージは本質的に同一であってもよく、またはそれらは例えば左右性（ｈａｎｄｅｄｎｅｓｓ）を有していてもよい。好都合には、左右性がフランジ部分の位置および／または形状によりパッケージに与えられてもよい。一実施形態において、パッケージのスタックが交互の左および右回りの（ｌｅｆｔ−  ａｎｄ  ｒｉｇｈｔ−ｈａｎｄｅｄ）パッケージを包含してもよく、ここで、フランジ部分の位置および／または形状は左回りのパッケージと右回りのパッケージとの間で変化する。この交互のパターンは、最も近い左回りのパッケージの対の間および最も近い右回りのパッケージの対の間に小さい隙間を生成し、パッケージをスタックから分離するための、指先または指の爪などの挿入を円滑にする。
【００２０】
材料
パッケージは、好都合には全体としてまたは実質的に合成プラスチック材料から形成される。好ましくは、パッケージは成型により形成される。パッケージのための好適な材料は、ポリプロピレンおよびその誘導体、またはポリカーボネートおよびその誘導体を含む。ポリプロピレンは安価であり、射出成型に好適であり、高圧蒸気滅菌され得る。ポリカーボネートは、若干脆くなり得るため材料として好適ではないが、ポリプロピレンよりも、幅広い接着剤に適合する。したがって、ポリカーボネートは、隣接するパッケージ間にスナップ嵌合ファスナーがある実施形態にとっては好ましくない。
【００２１】
接着剤
他所で説明されたとおり、接着剤の使用は必須ではないが、使用される場合は、ポリプロピレンパッケージについては、好ましい接着剤はシアノアクリレート系接着剤（例えば、ロクタイト（Ｌｏｃｔｉｔｅ）（登録商標）４０６または４０６１）である。パッケージを好適な下塗り（例えば、ロクタイト（登録商標）７７０または７７０１）で前処理することが、接着剤でパッケージのポリプロピレン表面をコーティング可能とするために望ましいこともある。好ましい下塗り組成物は、下塗りの適用領域の視覚的な点検を円滑にするために、（例えば、特にＵＶ照射の下で）蛍光性の物質を含む。シアノアクリレート接着剤は、良好なシール特性を提供し、高圧蒸気滅菌法（１２１℃の温度で１５分間）に耐え得るが、依然として、パッケージのスタックからの容易な分離および引き剥がしを可能にするのに十分に弱い。
【００２２】
スタック内の、最も上にある、コンタクトレンズを包含するパッケージは、「未加工の（ｂｌａｎｋ）」パッケージによるか、より好ましくは、コンタクトレンズパッケージ（例えば、Ａｍｃｏｒから入手可能なＳｔｅｒｉｌ  Ｕｐ（登録商標）蓋）のために従来使用されている金属のまたは金属化した箔によるかのいずれかにより被覆およびシールされ得る。
【００２３】
好ましい実施形態において、本発明によるパッケージのスタックは、好都合にはホルダまたはディスペンサー内に支持され得、本発明による少なくとも１つのパッケージのスタックを収容するよう適合および構成される。ホルダまたはディスペンサーは、好都合にはそれ自体合成プラスチック材料からできており、典型的には、成型、押出加工または３Ｄプリンティングなどにより形成され得る。一実施形態において、ホルダまたはディスペンサーは、平らなベース、空洞を画定するためにベースから上に向かって突出する実質的に垂直な壁またはチャネル形成部材、本発明による少なくとも１つのパッケージのスタックを収容するのに適切な形状および寸法のチャネルなどを有する。有利な実施形態において、ホルダは、本質的に同一のコンタクトレンズパッケージの２つのスタックを並べて収容するのに好適なサイズおよび寸法の空洞またはチャネルを有する。このような実施形態において、一方のスタックが消費者の左眼のために処方されたレンズを包含してもよく、他方のスタックが消費者の右眼のために処方されたレンズを包含してもよい。この実施形態において、ホルダまたはディスペンサーは、ホルダ／ディスペンサー内に保持される２つのパッケージのスタック間を区別するために、「Ｌ」および「Ｒ」すなわち「左」および「右」または他の印もしくは表示で印を付けられてもよい。
【００２４】
ホルダには、パッケージのスタックをホルダの外へ付勢する傾向のある１つまたは複数の付勢手段（例えば、ばね）が設けられてもよい。付勢手段は抑制手段により抵抗されてもよい。好都合には、抑制手段は、手作業により一時的に無効化され得る。手作業はボタン、レバーなどの作動を含んでもよい。好ましくは、この手作業は、さらに（および望ましくは同時に）個別のパッケージをスタックから分離するよう機能し、この分離されたパッケージが次いで付勢手段の作動により小出しされる。ボタンまたはレバーの解放により、典型的には抑制手段が元に戻る。
【００２５】
垂直なチャネルまたは溝の形状は、パッケージとぴたりと合った嵌合を形成するよう望ましくは適合かつ構成される。ホルダには、パッケージのスタックを収容する同じチャネルまたは溝内に摺動可能に受け入れられる任意選択の蓋も設けられてもよく、蓋の外形は適切に成形され寸法が決められる。ホルダはコンタクトレンズパッケージのスタックを直立に例えば棚の上に保持するために使用され得る。
【００２６】
第２態様において、複数の個別に分離可能なコンタクトレンズパッケージを含むスタックの作製方法であって、方法が以下のステップ、
（ａ）複数の空の個別のコンタクトレンズパッケージを形成するステップと、
（ｂ）コンタクトレンズと好適な水性液体の一定分量とを第１パッケージの凹形部分内の空洞内に挿入するステップと、
（ｃ）空洞内のコンタクトレンズおよび水性液体を、第２パッケージを第１パッケージの上部に位置付け、第２パッケージを第１パッケージに対して任意選択的に好適な接着剤によりシールするステップと
を含む方法が提供される。
【００２７】
典型的には、ステップ（ｂ）および（ｃ）は、コンタクトレンズと水性液体の一定分量とを各々包含する多くの（例えば３０個以上の）コンタクトレンズパッケージを備えるスタックを形成するために数回繰り返される。スタック内の、最も上にある、コンタクトレンズを包含するパッケージは、未加工のパッケージを上部に接着することによってか、パッケージを剥離可能な金属のフィルムでできた従来の蓋でシールすることによってかのいずれかでシールされてもよい。望ましくは、スタックが形成された後、それは好ましくは高圧蒸気滅菌法により滅菌され、または、代替形態において、それはスタック形成の間にＵＶ照射により滅菌される。
【００２８】
別の態様において、本発明は、複数の用品のための個別に分離可能なパッケージのスタックであって、各用品が第１表面と第２表面との間に包装され、第１表面が個別に分離可能なパッケージのうちの第１パッケージにより提供され、第２表面が個別に分離可能なパッケージのうちの第２パッケージにより提供される、スタックを提供する。
【００２９】
パッケージ内に包装された用品は、シールされた容器内に包装される必要のある任意のものであり得る。例は丸薬、錠剤、カプセル、粉末用量、および食料品などの医療的効果のない製品などを含む。
【００３０】
本発明はここで説明のための例により以下の図面を参照してさらに説明される。
【図面の簡単な説明】
【００３１】
【図１Ａ】本発明に従ってパッケージのスタックを形成するのに使用され得る２つの個別のコンタクトレンズパッケージの様々な図である。
【図１Ｂ】本発明に従ってパッケージのスタックを形成するのに使用され得る２つの個別のコンタクトレンズパッケージの様々な図である。
【図１Ｃ】本発明に従ってパッケージのスタックを形成するのに使用され得る２つの個別のコンタクトレンズパッケージの様々な図である。
【図２Ａ】図１Ａ〜１Ｃに示された同じ実施形態の単一のパッケージのそれぞれ上方および下方からの平面図である。
【図２Ｂ】図１Ａ〜１Ｃに示された同じ実施形態の単一のパッケージのそれぞれ上方および下方からの平面図である。
【図３】異なる縮尺の図１Ｃの一部の詳細である。
【図４Ａ】図１および２に示された個別のパッケージ３０個のスタックのそれぞれの端面図、斜視図および側面図を示す。
【図４Ｂ】図１および２に示された個別のパッケージ３０個のスタックのそれぞれの端面図、斜視図および側面図を示す。
【図４Ｃ】図１および２に示された個別のパッケージ３０個のスタックのそれぞれの端面図、斜視図および側面図を示す。
【図５Ａ】図４Ａ〜Ｃに示されたパッケージのスタックを保持するよう適合および構成されたホルダの一実施形態の側面図、斜視図および端面図である。
【図５Ｂ】図４Ａ〜Ｃに示されたパッケージのスタックを保持するよう適合および構成されたホルダの一実施形態の側面図、斜視図および端面図である。
【図５Ｃ】図４Ａ〜Ｃに示されたパッケージのスタックを保持するよう適合および構成されたホルダの一実施形態の側面図、斜視図および端面図である。
【図６Ａ】図４Ａ〜Ｃに示されたパッケージのスタックのうちの２つを保持するよう適合および構成されたホルダの第２実施形態の上面図および斜視図である。
【図６Ｂ】図４Ａ〜Ｃに示されたパッケージのスタックのうちの２つを保持するよう適合および構成されたホルダの第２実施形態の上面図および斜視図である。
【図７Ａ】小出し手段を含むホルダの第３実施形態の様々な図である。
【図７Ｂ】小出し手段を含むホルダの第３実施形態の様々な図である。
【図７Ｃ】小出し手段を含むホルダの第３実施形態の様々な図である。
【図７Ｄ】小出し手段を含むホルダの第３実施形態の様々な図である。
【図８Ａ】本発明による個別のコンタクトレンズパッケージのスタックの別の実施形態の側面図、上面図および斜視図である。
【図８Ｂ】本発明による個別のコンタクトレンズパッケージのスタックの別の実施形態の側面図、上面図および斜視図である。
【図８Ｃ】本発明による個別のコンタクトレンズパッケージのスタックの別の実施形態の側面図、上面図および斜視図である。
【図９】本発明による個別のコンタクトレンズパッケージのスタックを作製する自動化された方法の実施形態を概略的に示す流れ図である。
【図１０】本発明による個別のコンタクトレンズパッケージのスタックを作製する自動化された方法の実施形態を概略的に示す流れ図である。
【図１１Ａ】スタック内の隣接するパッケージが機械的嵌合によりシールされるさらなる実施形態による２つのパッケージの断面図である。
【図１１Ｂ】異なる縮尺の図１１Ａの一部の詳細図である。
【図１２】開封明示機械的シールが隣接するパッケージ間に設けられる、さらなる実施形態の一部の断面図である。
【図１３Ａ】本発明によるなおさらなる実施形態による２つのパッケージの断面図である。
【図１３Ｂ】本発明によるなおさらなる実施形態による２つのパッケージの断面図である。
【発明を実施するための形態】
【００３２】
例
図１を参照すると、本発明によるスタックにおいて使用するのに好適な２つの個別のコンタクトレンズパッケージの一実施形態が示される。
【００３３】
図１Ａは２つのパッケージ２、４の平面図である。図１Ｂは２つのパッケージの側面図を示し、図１Ｃは図１Ａにおいて破線により示される断面ｘｘ−ｘｘに沿った断面図である。
【００３４】
２つのパッケージ２、４は、パッケージ２は右回りであり、パッケージ４は左回りであること以外、サイズおよび形状が概して非常に似ている。したがって、例えば図１Ｃにおいて最もよく見られるとおり、各パッケージ２、４は本質的に同じ外形を有し、各パッケージはその長軸に沿って約３．３ｃｍ、幅が約２．２ｃｍである。パッケージ２、４は、共に、ポリプロピレンまたは（より好ましくないが）ポリカーボネートなどの合成プラスチック材料で形成される。
【００３５】
各パッケージは、凹形カップ状部分６と、周辺円周方向部分８であって、その長さの少なくとも一部に沿って、薄いフランジ１０内に凹形部分６から外向きに突出する周辺円周方向部分８とを含む。パッケージ４はパッケージ２の上部に積み重なり、その結果上の方のパッケージ４の凹形カップ状部分６が低い方のパッケージ２の凹形カップ状部分６内に大部分受け入れられる。
【００３６】
図１Ｂおよび１Ｃにおいて最もよく見られるとおり、凹形カップ状部分６の凸形外側表面は、外形であって、その中に肩部または段１２が形成された外形を有する。パッケージ４は、その凹形カップ状部分６が、その下にあるパッケージ２の凹形カップ状部分６内に実質的に収容されるように、位置付けられる。パッケージ４の凹形カップ状部分６の凸形外側外形における肩部または段１２により、上の方のパッケージ４の凹形部分の低い方の部分が、低い方のパッケージ２の凹形外形と面一に嵌合せず、それにより２つのパッケージ間に小さい空洞を生じることが確実となる。
【００３７】
このように形成された空洞１４内に、シリコーンハイドロゲルコンタクトレンズ１６が、小さい体積の滅菌された水性液体、例えば食塩水と共に収容される。したがって、空洞１４は、２つの表面であって、一方が低い方のパッケージ２のカップ状部分６の上面であり、他方が上の方のパッケージのカップ状部分６の低い方の（凸）表面である２つの表面により画定される。
【００３８】
以下でより詳細に説明されるとおり、上の方のパッケージ４は、２つのパッケージの周辺部分８に塗布される少量の好適な接着剤により、低い方のパッケージ２に接着される。接着剤は、いったんパッケージとそこに包含されるコンタクトレンズとが（例えば高圧蒸気滅菌法またはＵＶ照射により）滅菌されると、コンタクトレンズが長期間（例えば、１２か月を大幅に上回って）滅菌された状態となり得るように、２つのパッケージ間に実質的に気密シールを生成する。
【００３９】
各パッケージのフランジ部分１０は、この実施形態において、フランジの上面に形成された２つの平行な線形の隆起したくぼみを含む把持機構２０を有して形成される。把持機構２０は、指先、指の爪、親指の爪などがフランジ部分１０を把持し、低い方のパッケージ２を上の方のパッケージ４から剥がすための（下向きの）力をかけることを円滑にして、コンタクトレンズ１６へのアクセスを可能にすることを意図される。
【００４０】
この例における上の方のパッケージ４はコンタクトレンズ無しで示されるが、レンズはそのカップ状部分内に含まれ得る。上の方のパッケージ４のカップ状部分６内に包含される如何なるレンズおよび水性液体も滅菌されたままとなるように、金属箔の蓋２２が上の方のパッケージの上部に設けられる。図１Ａにおいて、箔２２がパッケージ４の詳細を覆い隠しており、詳細は破線により示されている。
【００４１】
例２
図２Ａおよび２Ｂを参照すると、この例は接着剤の隣接するパッケージへの塗布をより詳細に説明する。
【００４２】
図２Ａは、図１Ａ〜１Ｃに示される実施形態と同一のパッケージの上面を見下ろす平面図を示す。図２Ｂはパッケージの下面の平面図である。図１Ａ〜１Ｃにおける部分と同等な部分は共通の参照符号で表示される。
【００４３】
他所で説明されるとおり、接着剤の選択は、パッケージを形成するのに使用される材料の選択により少なくとも部分的に決められ得る。しかしながら、好ましい実施形態において、パッケージの一方の側は、比較的粗い表面を有するように形成される（典型的には成形される）。パッケージの他方の側は、比較的滑らかな表面を有するように形成される。接着剤組成物は比較的粗い表面に優先的に付着する。
【００４４】
図２Ａを参照すると、周辺部分８の上面の環状の部分３０には比較的滑らかな表面が形成される。対照的に、周辺部分８の下面に相当して位置付けられる環状のまたは円周方向の部分３２には比較的粗い表面が形成される。
【００４５】
したがって、パッケージが、相当するパッケージの重なっているスタックから剥がされると、接着剤は、個別のパッケージと共に剥がされるというよりもむしろ重なっているパッケージの下面の粗い表面上に残る傾向がある。これにより、接着剤の破片または粒子が、分離されたパッケージのカップ状部分６内へ落ちるリスクであって、接着剤の破片または粒子がその後コンタクトレンズ装着者の眼に不注意により入れられるリスクが減少する。
【００４６】
接着剤の位置、およびパッケージの設計が、異なる縮尺で、図１Ｃの断面図の一部の詳細を示す図３を参照してさらに説明される。
【００４７】
図３を参照すると、２つの積み重なったコンタクトレンズパッケージの周辺部分８の一部が示される。接着剤（および必要に応じて任意の下塗りの予めの塗布）が、２つのパッケージが接触するところである全体として矢印「Ａ」で示された周辺部分の一部に塗布される。パッケージの内面／上面には、カップ状部分６と周辺部分８とのインターフェイスに、凹凸のある曲線３８が形成される。それぞれの外形間の一致のこの局所的な欠落により、２つのパッケージ間に小さい環状の空洞４０が生じる。空洞４０は、領域Ａに塗布された任意の余分な接着剤の流出分を収容することができ、したがって余分な接着剤がコンタクトレンズが受け入れられる主空洞１４を汚染するのを防止する。上述のとおり、周辺部分８の下面は比較的粗く、一方周辺部分８の上面は比較的滑らかであり、その結果接着剤は低い方のパッケージがスタックから除去されると粗い下面に付着する。
【００４８】
別の特徴は、外形に不連続部を提供することにより接着剤の望ましい領域への塗布を制限するのに同様に役立つ、周辺部分の外形における段４２である。必要に応じて、段４２は、重なっているパッケージの下面に対応する凹部を有する上向きの段とされ得る。これにより、段の、接着剤の進入を防止する能力は向上するであろうが、成形するのがより複雑になるだろう。
【００４９】
図４Ａ〜４Ｃは、３０個の個別に分離可能なコンタクトレンズパッケージのスタックの一実施形態を示し、パッケージは図１Ａ〜１Ｃにおいて示される実施形態と同一である。
【００５０】
スタックは、指の爪または親指の爪の、部分的に重なっているフランジ部分間への挿入が容易になるように、隣接する左回りのパッケージと隣接する右回りのパッケージとの間に小さい間隙があるように、交互の左および右回りのパッケージを包含する。最も上のパッケージは従来の金属箔の蓋で覆われる。
【００５１】
スタックは著しくコンパクトで、高さは約５．３７ｃｍしかない。
【００５２】
例３
図５Ａ〜５Ｃを参照すると、本発明による個別に分離可能なコンタクトレンズパッケージのスタックを保持するためのホルダが示されている。より具体的には、ホルダは、図４Ａ〜Ｃに示される種類のスタックを保持するように適合および構成される。
【００５３】
ホルダ５０は成形可能な合成プラスチック材料から形成され、それぞれ湾曲した前方および後方直立部材５４、５６と一体的に形成される、平らで、本質的に水平なベース５２を含む。直立部材５４、５６はそれらの間に、実質的に垂直なチャネルまたは溝であって、その中にコンタクトレンズパッケージのスタック５８が収容されるチャネルまたは溝を画定する。前方直立部材５４の内側面には、左および右回りのパッケージの突出するフランジ部分を許容する２つの浅い凹凸が形成される。ホルダにはまた、パッケージのスタック５８を収容する同じチャネルまたは溝内で摺動可能に受け入れられる任意選択の蓋６０が形成され、蓋６０の外形は適切に成形されかつ寸法が決められている。ホルダは、コンタクトレンズパッケージのスタックを直立に例えば棚の上に保持するよう使用され得る。
【００５４】
図６ＡおよびＢは、わずかに異なる実施形態を説明し、ホルダは概ね図５Ａ〜Ｃに示されるとおりであるが、この例では前方および後方直立部材５４、５６が、２つのスタックが実質的に並んで保持され得るように、２つの溝またはチャネルであって、その各々がコンタクトレンズパッケージのスタックを収容できる２つの溝またはチャネルを画定する。この実施形態は２つのスタックを保持するのに特に有用であり、ここで、パッケージの一方のスタックがユーザの左眼用に処方されたコンタクトレンズを包含し、パッケージの他方のスタックがユーザの右眼用に処方されたコンタクトレンズを包含する。
【００５５】
ホルダは、一方にはＬの記号が付き他方にはＲの記号が付いた２つの着脱可能な蓋６０を有する。好都合には、「Ｌ」の蓋は左側の溝またはチャネルにおいてのみ受け入れられることができ、「Ｒ」の蓋は右側の溝またはチャネルにおいてのみ受け入れられることができるように、蓋は左右性を有するか、または何らかの方法で類似していない。
【００５６】
さらに、ホルダのさらなる実施形態が図７Ａ〜７Ｄにおいて示される。これは「ディスペンサー」タイプのホルダを示す。ディスペンサーは図６に示される実施形態と概ね同様であり、コンタクトレンズパッケージの２つのスタック５８を収納する。しかしながら、ホルダにはさらに、２つの、ばね付きの（またはそうでなければ付勢された）小出しボタン６２を設けられる。内側に押されると、小出しボタンは最も下にあるコンタクトレンズパッケージにスタックから離れるように力をかけるよう作用する。必要に応じて、ばね−または他の付勢手段がホルダの上部に設けられて、コンタクトレンズパッケージのスタックを下向きに付勢するよう作用してもよい。好都合には、小出しボタン６２はまた、付勢手段に抗して作用する抑制手段として作用し、ボタンの作動はパッケージを分離するだけでなく保持手段を一時的に無効にし、分離されたパッケージがホルダの外へ付勢されることを可能にする。
【００５７】
例４
この例は、図８Ａ〜Ｃに示されるとおり、スタック内のコンタクトレンズパッケージの代替的配置構成に関する。
【００５８】
この実施形態において、個別のパッケージは概ね図１に示されるとおりである。しかしながら、パッケージは形状が全て同一であり、左または右回りの形は存在しない。
【００５９】
代わりに、個別のパッケージは、突出するフランジ部分１０がスタックの周りを回転する方式で並ぶよう配置されるスタックへと形成される。示された実施形態において、各フランジ部分は曜日で印を付けられ、包装されたレンズは１日単位で装着してその後廃棄することを意図される。スタックは、特定の曜日に対応するコンタクトレンズパッケージが、スタック内の同じ相対的回転位置を占めるように、整列７の回転対称性を有するように配置される。
【００６０】
（図８Ｃは図８Ａおよび８Ｂと比較して異なる縮尺で描かれていることに留意されたい）。
【００６１】
例５
この例は、個別のコンタクトレンズパッケージのスタックが形成され得る方法の一実施形態を説明する。
【００６２】
この実施形態において、コンタクトレンズパッケージはポリプロピレンから成型され、左および右回りの形である。自動化された、スタックを形成するプロセスは、図９において概略的に示される。
【００６３】
図９を参照すると、予め形成されたパッケージ（または「ブリスター（ｂｌｉｓｔｅｒ）」）のホッパーが自動化された生産ラインに入る。ステップ８０において、好適なＵＶの蛍光性下塗り組成物（例えば、ロクタイト（登録商標）７７０または７７０１など）がパッケージの周辺部分の望ましい部分に塗布される。
【００６４】
パッケージは次いで、下塗り組成物に蛍光を発しさせるために紫外線を照射される。蛍光は、十分な下塗り組成物の適用領域が達成されたことを確認するために、人間の作業員によりおよび／またはカメラにより監視される（ステップ８２）。下塗りの目的はポリプロピレンパッケージを接着剤で「湿らせ」易くすることである。
【００６５】
コンタクトレンズが次いでパッケージの凹形カップ状部分に挿入され（８４）、小さい体積の好適な水性液体（例えば食塩水）が加えられる（８６）。これは、レンズおよび溶液の追加の好ましい順序であるが、原則として、追加の順序は逆にすることもでき、またはレンズおよび溶液の両方を実質的に同時に加えることもできる。
【００６６】
次に、シアノアクリレート接着剤（例えば、ロクタイト（登録商標）４０６または４０６１）がパッケージの周辺部分の下塗りで被覆された部分に塗布され、スタックが底部から上に向かって形成されるように、望ましい数（例えば３０個または６０個）のパッケージが重ね合されてスタックを形成する（ステップ８８および９０）。
【００６７】
いったん、接着剤が硬化されスタックが十分に安定すると、最後のステップ（９２）はスタックおよび包装されたコンタクトレンズの、この例では高圧蒸気滅菌法による、滅菌である。
【００６８】
例６
この例は、本発明による個別のコンタクトレンズパッケージのスタックを形成する代替的方法に関する。この方法は図１０に概略的に示される。この方法は、図９に示される先行する方法と略同様であり、共通の参照符号が対応する方法ステップを示すのに使用される。
【００６９】
したがって、図１０におけるステップ８０〜８８は、本質的に図９および例５のステップ８０〜８８に対応する。しかしながら、この例において、少なくとも最も上にあるパッケージならびにその中のコンタクトレンズおよび溶液を照射および滅菌するのにＵＶ光が使用され（ステップ９４）、その後さらなるパッケージをスタックの上部に加えＵＶ滅菌を繰り返す。
【００７０】
ＵＶ放射線は非常によく貫通するものではないため、各パッケージは、別のパッケージにより被覆される前に、（例えばスタックの上部にあるときに）ＵＶに曝露されなければならない。ＵＶ光は、最も上にあるパッケージ、コンタクトレンズ、および溶液が好適な量のＵＶエネルギーに曝露されるように、プロセスの間連続的にオンであってもよく、またはＵＶ光は律動的に照射されて、新しいパッケージまたはレンズなどがスタックの上部に加えられる度にオンになってもよい。ＵＶ光の律動的照射が通常好ましい。
【００７１】
スタックが完了すると、プロセスは経路９６に従い、これはスタックの形成で（例えば、従来の金属箔をＵＶ滅菌された後で最も上にあるパッケージに加えることにより）終わる。しかしながら、１つまたは複数のさらなるコンタクトレンズを包含するパッケージがスタックに加えられる場合、プロセスはスタックが完了するまで、反復ループステップ９８、９０および９４に従う。
【００７２】
本発明の例のように、ＵＶ露光がまた、ＵＶ照射の下で蛍光を発する物質を含む下塗り組成物の適用領域の量を監視または点検するのに使用される場合、ＵＶ照射の滅菌のための使用が特に便利となり得る。加えて、または代替的に、ＵＶ照射は隣接するパッケージ同士を結合するのに使用されるＵＶ硬化性接着剤の硬化を引き起こすまたは補助するのに使用されてもよい。したがって、好ましい実施形態において、ＵＶ照射は以下の両方に使用される。
（ａ）パッケージおよびそれらの内容物の滅菌、ならびに、
（ｂ）（ｉ）隣接するパッケージを結合するＵＶ硬化性樹脂または接着剤の硬化、および／または、
（ｂ）（ｉｉ）ＵＶ照射の下で蛍光を発する下塗りもしくは接着剤組成物の適用領域の監視もしくは点検。
【００７３】
例７
この例は、本発明において使用するためのパッケージのさらなる実施形態に関する。この実施形態において、機械的シール嵌合によりパッケージは結合され、これは隣接するパッケージ間のシールを形成する接着剤の必要性を省く。この実施形態は図１１Ａおよび１１Ｂに示される。
【００７４】
図１１Ａを参照すると、図示の実施形態は、図１に示されるものと概ね非常に似ており、同様の部品は共通の参照符号により表示される。したがって、例えば断面図である図１１Ａは本質的に同様のサイズおよび形状の２つのパッケージ２、４であって、各々が凹形カップ状部分６と周辺部分８とを備え、周辺部分８には突出するフランジセクション１０が形成される２つのパッケージ２、４を示す。段１２はカップ部分６の外側／下面内に形成される。空洞１４は２つのパッケージ間に形成される。
【００７５】
図１Ｃと比較して、包装されたコンタクトレンズ、および上の方のパッケージ４の上部の金属箔は、明確にするために図１１Ａから省略されている。
【００７６】
２つのパッケージ２、４はいずれの接着剤も使用すること無く、機械的シール嵌合、この例では協働する外形により形成されるスナップ嵌めファスナーにより互いに結合される。これは、破線円により示された図１１Ａのその部分の詳細図である図１１Ｂにおいて最もよく見える。
【００７７】
図１１Ｂを参照すると、低い方のパッケージ２の周辺部分８の上の方の部分には、カップ状部分６の空洞に向かって内側に突出する円周の周りの小さい縁１００が形成される。低い方のパッケージ２の周辺部分８の低い方の部分には外側に突出する同様の円周方向の縁１０２が設けられる。同一の上の方および低い方の縁１００、１０２がそれぞれ上の方のパッケージ４の対応する部分上に形成される。縁は少なくとも、わずかな変形可能なレジリエンスを有する材料でできている。したがって、上の方のパッケージ４および低い方のパッケージ２が相対的に互いに向かって押されると、縁１００、１０２は互いを越えて変形し、他方のパッケージ上の適合して成形された凹部内にクリップで留まるために跳ね返り、２つのパッケージを密閉して結合する相互にぴたりと合ったスナップ嵌合ファスナーを形成する。同一に成形されたパッケージがスタックに加えられ、同様の形式で互いにクリップで留まり得る。
【００７８】
上述の実施形態の変形形態である好ましい実施形態が、図１１Ｂに示される同様の細部の拡大図である図１２に開示される。この実施形態は、隣接するパッケージ間に開封明示シールを提供する。実施形態は概して上述の実施形態のとおりであり、同様の部品は共通の参照符号により表示される。
【００７９】
先のとおり、低い方のパッケージ２の周辺部分８には、その上面に内向きに突出する縁１００およびその下面に外向きに突出する縁１０２が形成される。同一に成形された内向きにおよび外向きに突出する縁１００および１０２が上の方のパッケージ４の周辺部分上に形成される。
【００８０】
上の方の縁１００には、縁における弱点を構成するＶ字形の刻み目１０４が形成される。したがって、パッケージ２、４が互いに向かって押されると、上の方の縁１００は、上の方のパッケージの低い方の縁１０２の賦形面を徐々にずり上がり、適切なサイズにされ成形された長方形チャネルセクション凹部（明確にするために、低い方のパッケージ２上に１０６としてラベル付けされる）内でクリップで留まることができる。しかしながら、パッケージを分離しようとすることは、上の方の縁１００をチャネルの外へ付勢し、これは刻み目１０４により生じる弱いゾーンの周りの縁を折り取って破壊し、パッケージが互いに再びクリップで留まるのを防止し、それによりパッケージ間に開封明示シールを生じる。
【００８１】
なお別の実施形態が図１３Ａおよび１３Ｂに示される。図１３Ｂは破線円により示される図１３Ａの一部の異なる縮尺での詳細図である。
【００８２】
図１３Ａに示される実施形態は、図１２に示される実施形態と同様であり、同様の部品は共通の参照符号により表示される。したがって、先行する実施形態と同様に、図１３Ｂにおいて最もよく見えるとおり、低い方のパッケージ２の周辺部分８には、その上面に内向きに突出する縁１００およびその下面に外向きに突出する縁１０２が形成される。同一に成形された内向きかつ外向きに突出する縁１００および１０２が上の方のパッケージ４の周辺部分８上に形成される。パッケージ２、４は、したがって互いとの相互スナップ嵌めファスナーおよびスタック内の上方および下方の同一パッケージとのそれぞれの相互スナップ嵌めを形成することができる。
【００８３】
同様に、図１２に示される実施形態におけるとおり、パッケージの上の方の縁１００には切り欠きまたは刻み目１０４が形成され、縁における弱点を生じている。したがってパッケージ２および４が分離されるときに破壊される壊れやすい部分（縁１００の端）が存在し、その結果、それらが結合されると開封明示シールがパッケージ２とパッケージ４との間に形成される。
【００８４】
さらなる違いが、図１３Ａにおいて示される実施形態（開封明示シール有り）と図１１において示される実施形態との間に存在する。図１１に示される実施形態において、カップ状部分の凸形外側表面の外形上に形成される突出する肩部１２があり、これは内側および外側外形を一致しないようにさせ、空洞１４が隣接するパッケージ間に形成されることを確実にする。図１３に示される実施形態において、カップ状部分の凸外形上には肩部はない。代わりに、カップ状部分の内側表面は、不一致を与えてそれにより隣接するパッケージ間に空洞１４を作り出すために、外側表面と比較して「くり抜かれる」（例えば、内側表面はより小さい曲率半径を有する）。
【００８５】
余分な接着剤（使用される場合）を収容するよう機能する補助的な空洞４０は、パッケージの変更された外形の結果として、図１１Ｂおよび１２において示されるものと比較して異なる形状を有することにさらに留意されたい。
【図１Ａ】
0006378333.tif 000002
【図１Ｂ】
0006378333.tif 000003
【図１Ｃ】
0006378333.tif 000004
【図２Ａ】
0006378333.tif 000005
【図２Ｂ】
0006378333.tif 000006
【図３】
0006378333.tif 000007
【図４Ａ】
0006378333.tif 000008
【図４Ｂ】
0006378333.tif 000009
【図４Ｃ】
0006378333.tif 000010
【図５Ａ】
0006378333.tif 000011
【図５Ｂ】
0006378333.tif 000012
【図５Ｃ】
0006378333.tif 000013
【図６Ａ】
0006378333.tif 000014
【図６Ｂ】
0006378333.tif 000015
【図７Ａ】
0006378333.tif 000016
【図７Ｂ】
0006378333.tif 000017
【図７Ｃ】
0006378333.tif 000018
【図７Ｄ】
0006378333.tif 000019
【図８Ａ】
0006378333.tif 000020
【図８Ｂ】
0006378333.tif 000021
【図８Ｃ】
0006378333.tif 000022
【図９】
0006378333.tif 000023
【図１０】
0006378333.tif 000024
【図１１Ａ】
0006378333.tif 000025
【図１１Ｂ】
0006378333.tif 000026
【図１２】
0006378333.tif 000027
【図１３Ａ】
0006378333.tif 000028
【図１３Ｂ】
0006378333.tif 000029